(57)【要約】【課題】優待を受ける資格を示す「会員カード」等を持参することなく、「クレジットカード」や「電子マネーカード」等の非現金支払手段を用いるだけで、自動的に優待を受けることができる優待情報管理装置等を提供すること。【解決手段】非現金支払手段３ａの識別情報と、少なくとも、特定場所（Ａ）で使用可能な優待情報を関連付けて記憶し、特定場所で、使用された非現金支払手段の識別情報に基づいて、優待情報を抽出し、非現金支払手段で支払うべき支払情報に優待情報を適用し、優待情報適用後の情報である適用後情報を生成し、当該非現金支払手段を管理する非現金支払手段管理部４に適用後情報を送信する優待情報管理装置３０。【選択図】  図１
2014149623.tif 000002
【特許請求の範囲】
【請求項１】
非現金支払手段の識別情報と、少なくとも、特定場所で使用可能な優待情報を関連付けて記憶し、
前記特定場所で、使用された前記非現金支払手段の前記識別情報に基づいて、前記優待情報を抽出し、前記非現金支払手段で支払うべき支払情報に前記優待情報を適用し、優待情報適用後の情報である適用後情報を生成し、
当該前記非現金支払手段を管理する非現金支払手段管理部に前記適用後情報を送信する構成となっていることを特徴とする優待情報管理装置。
【請求項２】
前記優待情報の使用履歴情報を、当該優待情報を提供する提供元が管理する発行元管理部に送信する構成となっていることを特徴とする請求項１に記載の優待情報管理装置。
【請求項３】
前記非現金支払手段が、クレジットカード及び電子マネーカードで、前記クレジットカード及び前記電子マネーカードの双方の情報を読み取ることができる兼用カード情報取得装置と、
前記優待情報管理装置と、を有する優待情報管理システムであり、
前記特定場所が店舗で、前記兼用カード情報取得装置が、前記店舗に配置されていることを特徴とする前記優待情報管理装置を備える優待情報管理システム。
【請求項４】
前記非現金支払手段の所持者の携帯端末と、を有する優待情報管理システムであって、
前記優待情報管理装置は、前記非現金支払手段の前記識別情報と関連付けられている前記優待情報が適用可能な前記特定場所の位置情報である第１の位置情報と、
前記携帯端末の位置情報である第２の位置情報と、を有し、
前記第２の位置情報の所定の範囲内に存在する前記第１の位置情報を有する前記特定場所を、その第１の位置情報と共に前記携帯端末に送信する構成となっていることを特徴とする請求項１乃至請求項３のいずれか１項に記載の優待情報管理システム。
【請求項５】
非現金支払手段の識別情報と、少なくとも、特定場所で使用可能な優待情報を関連付けて記憶し、
前記特定場所で、使用された前記非現金支払手段の前記識別情報に基づいて、前記優待情報を抽出し、前記非現金支払手段で支払うべき支払情報に前記優待情報を適用し、優待情報適用後の情報である適用後情報を生成し、
当該前記非現金支払手段を管理する非現金支払手段管理部に前記適用後情報を送信する構成となっていることを特徴とする優待情報管理装置の制御方法。
【発明の詳細な説明】
【技術分野】
【０００１】
本発明は、例えば、クーポン等の優待情報に関する優待情報管理装置、優待情報管理システム及び優待情報管理装置の制御方法に関するものである。
【背景技術】
【０００２】
従来より、店舗等における特典を受けるために用いられるクーポンが当該店舗等の会員に対して提供されていた。しかし、このクーポンを紙製のクーポンとして配布すると、会員は、その都度、紙製のクーポンを持参しなければならず、取り扱い難い。このため、会員のメンバーカードを使用することで、クーポン情報も併せて利用可能となり、別個に紙製のクーポン券を持参する必要なく、クーポンの特典を受けることを可能にする提案がなされている（例えば、特許文献１）。
一方、店舗等における支払い手段としては、現金の他に「クレジットカード」や「電子マネーカード」を使用することも一般的となっている。
【先行技術文献】
【特許文献】
【０００３】
【特許文献１】特開２００６―２５１８８１公報
【発明の概要】
【発明が解決しようとする課題】
【０００４】
このため、店舗等の利用者が、「クレジットカード」や「電子マネーカード」等の非現金支払手段を用いて、支払いを行い、同時に、会員等としての特典等の優待を受けようすると、「会員カード」や「クーポン券」、そして、「クレジットカード」及び／又は「電子マネーカード」を持参しなければならず、極めて取り扱いが不便であるという問題があった。
【０００５】
そこで、本発明は、優待を受ける資格を示す「会員カード」等を持参することなく、「クレジットカード」や「電子マネーカード」等の非現金支払手段を用いるだけで、自動的に優待を受けることができる優待情報管理装置、優待情報管理システム及び優待情報管理装置の制御方法を提供することを目的とする。
【課題を解決するための手段】
【０００６】
上記目的は、本発明にあっては、非現金支払手段の識別情報と、少なくとも、特定場所で使用可能な優待情報を関連付けて記憶し、前記特定場所で、使用された前記非現金支払手段の前記識別情報に基づいて、前記優待情報を抽出し、前記非現金支払手段で支払うべき支払情報に前記優待情報を適用し、優待情報適用後の情報である適用後情報を生成し、当該前記非現金支払手段を管理する非現金支払手段管理部に前記適用後情報を送信する構成となっていることを特徴とする優待情報管理装置により達成される。
【０００７】
前記構成によれば、店舗等の特定場所で、使用されたクレジットカード等の非現金支払手段の識別情報（例えば、クレジットカード番号）に基づいて、２０％割引等のクーポン等の優待情報を抽出し、非現金支払手段で支払うべき支払情報に優待情報を適用し、優待情報適用後の情報（例えば、２０％割引後の料金）である適用後情報を生成し、当該非現金支払手段を管理する非現金支払手段管理部（例えば、クレジット会社サーバ）に適用後情報を送信する構成となっている。
したがって、クレジットカード等の非現金支払手段を店舗等の特定場所で使用する利用者は、支払いに際しクレジットカード等の非現金支払手段を使用するだけで、適用可能なクーポン等の優待情報（２０％割引等）が支払金額等である支払情報に実際に適用され、適用後（例えば、２０％割引後）の金額等である適用後情報が生成される。
【０００８】
そして、この適用後情報は、当該非現金支払手段管理部である例えば、当該クレジット会社サーバ等に送信される。
したがって、この適用後情報の金額等が当該非現金支払手段管理部である例えば、当該クレジット会社サーバ等から「承認」されることで、クーポン等の優待情報が自動的に適用されることになる。
このため、利用者はクーポン等の優待情報の適用を受けるために、当該優待情報を受ける資格がある旨の会員カードやクーポン券等を持参する必要がなく、優待情報を利用でき、利用者にとって極めて使い易い装置となっている。
また、優待情報を提供する店舗等の特定場所の管理者にとっても、優待情報を自動的に処理し、処理後の情報で支払金額が決済されるので、極めて使い易い装置となっている。
【０００９】
好ましくは、前記優待情報の使用履歴情報を、当該優待情報を提供する提供元が管理する発行元管理部に送信する構成となっていることを特徴とする。
【００１０】
前記構成によれば、クーポン等の優待情報の使用履歴情報を、当該優待情報を提供する提供元が管理する発行元管理部（例えば、ハンバーガーショップＡ管理用端末）に送信する構成となっているので、クーポン等の優待情報を提供するハンバーガーショップＡ等はクーポン等の優待情報の詳細な利用情報を取得することができ、その後の営業展開等の参考とすることができる。
【００１１】
好ましくは、前記非現金支払手段が、クレジットカード及び電子マネーカードで、前記クレジットカード及び前記電子マネーカードの双方の情報を読み取ることができる兼用カード情報取得装置と、前記優待情報管理装置と、を有する優待情報管理システムであり、前記特定場所が店舗で、前記兼用カード情報取得装置が、前記店舗に配置されていることを特徴とする。
【００１２】
前記構成によれば、非現金支払手段が、クレジットカード及び電子マネーカードで、クレジットカード及び電子マネーカードの双方の情報を読み取ることができる兼用カード情報取得装置が、店舗に配置されている。
このため、利用者は、当該店舗における支払い等に「クレジットカード」又は「電子マネー」のいずれも利用できるので使い易いシステムとなっている。
また、店舗は、クレジットカードと電子マネーカードのそれぞれの情報を取得する別個の装置を配置する必要がなく、一つの兼用カード情報取得装置を配置するだけで、クレジットカード及び電子マネーカードの顧客に対応可能であるので、極めて使い易いシステムとなっている。
【００１３】
好ましくは、前記非現金支払手段の所持者の携帯端末と、を有する優待情報管理システムであって、前記優待情報管理装置は、前記非現金支払手段の前記識別情報と関連付けられている前記優待情報が適用可能な前記特定場所の位置情報である第１の位置情報と、前記携帯端末の位置情報である第２の位置情報と、を有し、前記第２の位置情報の所定の範囲内に存在する前記第１の位置情報を有する前記特定場所を、その第１の位置情報と共に前記携帯端末に送信する構成となっていることを特徴とする。
【００１４】
前記構成によれば、優待情報管理装置は、クレジットカード等の非現金支払手段の識別情報と関連付けられているクーポン等の優待情報が適用可能な店舗等の特定場所の位置情報である第１の位置情報を保持している。
また、優待情報管理装置は、携帯端末の現在位置等の位置情報である第２の位置情報も有し、例えば、現在位置情報である第２の位置情報の所定の範囲内（例えば、１ｋｍ以内等）に存在する第１の位置情報を有する店舗等の特定場所を、その第１の位置情報と共に携帯端末に送信する構成となっている。
したがって、携帯端末の所持者は、自己のクレジットカード等の非現金支払手段と関連付けられているクーポン等の優待情報を使用できる店舗等の特定場所が、現在位置の所定範囲内に存在するか否かの情報を取得することができる。
このため、クーポン等の優待情報の利用を促すことができる。
【００１５】
上記目的は、本発明にあっては、非現金支払手段の識別情報と、少なくとも、特定場所で使用可能な優待情報を関連付けて記憶し、前記特定場所で、使用された前記非現金支払手段の前記識別情報に基づいて、前記優待情報を抽出し、前記非現金支払手段で支払うべき支払情報に前記優待情報を適用し、優待情報適用後の情報である適用後情報を生成し、当該前記非現金支払手段を管理する非現金支払手段管理部に前記適用後情報を送信する構成となっていることを特徴とする優待情報管理装置の制御方法により達成される。
【発明の効果】
【００１６】
以上説明したように、本発明によれば、優待を受ける資格を示す「会員カード」等を持参することなく、「クレジットカード」や「電子マネーカード」等の非現金支払手段を用いるだけで、自動的に優待を受けることができる優待情報管理装置、優待情報管理システム及び優待情報管理装置の制御方法を提供することができる。
【図面の簡単な説明】
【００１７】
【図１】本発明の「優待情報管理システム」である例えば、クーポン管理システム１を示す概略図である。
【図２】図１の管理サーバの主な構成等を示す概略ブロック図である。
【図３】図２の第１記憶部の主な構成等を示す概略ブロック図である。
【図４】図２の第２記憶部の主な構成等を示す概略ブロック図である。
【図５】図２の第３記憶部の主な構成等を示す概略ブロック図である。
【図６】図２の第４記憶部の主な構成等を示す概略ブロック図である。
【図７】提携先会社情報登録工程を示す概略フローチャートである。
【図８】図３に示す提携先会社関連情報記憶部の提携先会社関連情報を示す概略説明図である。
【図９】提携先会社の個人会員の登録等工程を示す概略フローチャートである。
【図１０】提携先会社の個人会員の登録等工程を示す他の概略フローチャートである。
【図１１】提携先会社の個人会員の登録等工程を示す他の概略フローチャートである。
【図１２】ＳＴ１４で表示される画面例を示す概略図である。
【図１３】個人会員ＩＤ関連情報記憶部の個人会員ＩＤ関連情報を示す概略図である。
【図１４】ＳＴ２６で携帯側ディスプレイに表示されるクーポン照会表示画面例を示す概略説明図である。
【図１５】本クーポン管理システムの利用例を示す概略フローチャートである。
【図１６】本クーポン管理システムの利用例を示す他の概略フローチャートである。
【図１７】本クーポン管理システムの利用例を示す他の概略フローチャートである。
【図１８】付近のクーポン利用可能店舗検索工程を示す概略フローチャートである。
【図１９】付近のクーポン利用可能店舗検索工程を示す他の概略フローチャートである。
【発明を実施するための形態】
【００１８】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００１９】
図１は、本発明の「優待情報管理システム」である例えば、クーポン管理システム１を示す概略図である。
図１に示す「クーポン管理システム１」は、特定場所である例えば、店舗等が提供した優待情報である例えば、クーポンを使用して利用者が店舗を利用し、非現金支払手段である例えば、クレジットカードや電子マネーカードを用いて支払いをすると、自動的にかかるクーポン内容、例えば、２０％割引を実行し、かかる情報をクレジットカード会社等の非現金支払手段管理部である例えば、クレジット会社サーバ等に送信等するシステムである。
具体的には、例えば、個人（甲）は、図１に示す「ハンバーガーショップＡ」、「ワインバーＢ」そして「イタリアンレストランＣ」の会員となり、会員の特典である例えば、割引クーポンを取得するが、以下、詳細に説明する。
【００２０】
図１に示すように、クーポン管理システム１は、個人の利用者（甲）が所持する「携帯端末」である例えば、「携帯用個人会員端末１０」を含んでいる。この「携帯用個人会員端末１０」としては、小型の各種携帯用端末装置が含まれる。
また、この個人の利用者（甲）は、利用する「クレジットカード（Ｖ）２ａ」等や「電子マネーカード（Ｘ）３ａ」等を所持する。
【００２１】
このうち、「クレジットカード（Ｖ）２ａ」は、利用できる加盟店で、商品の購入に際しクレジットカードを提示すると、一旦、クレジットカード会社が加盟店への支払いを肩代わりし、後でカード利用者へ代金を請求する仕組みで使用されるカードである。
また「電子マネーカード（Ｘ）３ａ」は、現金紙幣や硬貨を介さずにカード等の電子媒体に現金に代わる金額情報が蓄積され、その中から決済が行われる決済手段で使用されるカードである。
いずれも店舗等における支払い時に現金紙幣等の支払いを行わない点で共通し、利用者が財布等に現金紙幣等を入れて持ち歩かなくても支払い等が可能であるため、極めて使い易いカードとなっている。
【００２２】
また、携帯用個人会員端末１０には、インターネット６を介して「管理サーバ５０」等と通信するための「携帯側通信装置１１」、各種情報を表示する「携帯側ディスプレイ１２」、各種情報を入力する「携帯側入力装置１３」が備わっている他、当該携帯用個人会員端末１０の位置を測位する「ＧＰＳ（Ｇｌｏｂａｌ  Ｐｏｓｉｔｉｏｎｉｎｇ  Ｓｙｓｔｅｍ）装置１４」も備わっている。
【００２３】
一方、利用者（甲）が利用する「ハンバーガーショップＡ」には、「クレジットカード（Ｖ）２ａ」等及び「電子マネーカード（Ｘ）３ａ」等の双方の情報を取得することができる店舗端末装置３０が１台配置されている。
すなわち、「ハンバーガーショップＡ」は、１台の店舗端末装置３０を配置することで、「クレジットカード（Ｖ）２ａ」等及び「電子マネーカード（Ｘ）３ａ」の双方の情報を取得し、処理することができる。
【００２４】
したがって、「ハンバーガーショップＡ」等の店舗は、「クレジットカード（Ｖ）２ａ」と「電子マネーカード（Ｘ）３ａ」のそれぞれの情報を取得する別個の装置を配置する必要がなく、一つで兼用の店舗端末装置３０を配置するだけで、クレジットカード及び電子マネーカードの顧客に対応可能であるので、極めて使い易い装置となっている。
【００２５】
図１の「ハンバーガーショップＡ」の「店舗端末装置３０」で取得された「クレジットカード（Ｖ）２ａ」等及び／又は「電子マネーカード（Ｘ）３ａ」の双方、又は一方の情報は、インターネット６を介して、後述する「優待情報管理装置」である例えば、「管理サーバ５０」へ送信され、その後、「クレジットカード会社サーバ４」や「電子マネー会社サーバ５」へ情報が送信され、その「承認」を得た後、決済が完了する行構成となっている。これらの詳細な構成は後述する。
【００２６】
ところで、図１の「ハンバーガーショップＡ」に配置される「店舗端末装置３０」は、図示するように、「クレジットカード（Ｖ）２ａ」等のカード情報を取得する「カード情報取得装置３１」、各種情報を表示する「店舗端末側ディスプレイ３２」、各種情報を外部から入力するための「店舗端末側情報入力装置３３」、そして、取得した情報を「管理サーバ５０」等に送信するための「店舗端末側通信装置３４」等を有している。
【００２７】
また、「店舗端末装置３０」には、図示するように情報を印刷する「プリンタ３５」が接続されている。
また、図１の「ハンバーガーショップＡ」には、コンピュータ等である「ハンバーガ−ショップＡ管理用端末３６」が配置され、インターネット６を介して、「管理サーバ５０と通信可能な構成となっている。
この「ハンバーガ−ショップＡ管理用端末３６」は、「管理サーバ５０」へ管理上の情報を送信し、「管理サーバ５０」からクーポンの履歴情報を取得するために配置されている。この詳細な構成等については、後述する。
また、この「ハンバーガ−ショップＡ管理用端末３６」は、「発行元管理部」の一例となっている。
【００２８】
なお、図１に示すように、「ワインバーＢ」や「イタリアンレストランＣ」についても、「ハンバーガーショップＡ」と同様に、店舗端末装置３００、４００、プリンタ３０５、４０５が、それぞれ配置されている。また、「ワインバーＢ」や「イタリアンレストランＣ」には、それぞれ、コンピュータ等である「ワインバーＢ管理用端末３０６」及び「イタリアンレストランＣ管理用端末４０６」が配置されている。
【００２９】
ところで、図１の「携帯用個人会員端末１０」「店舗端末装置３０」等、「ハンバーガーショップＡ管理用端末３６」等、「管理サーバ５０」、「クレジットカード会社サーバ４」及び「電子マネー会社サーバ５」等は、コンピュータ等を有している。このコンピュータは、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を有し、これらは、例えばバス等を介して配置されている。
【００３０】
図２は、図１の「管理サーバ５０」の主な構成等を示す概略ブロック図である。
図２に示すように、「管理サーバ５０」は、「管理サーバ制御部５１」を有すると共に、「管理サーバ制御部５１」は、インターネット６を介して「店舗端末装置３０」等と通信するための「管理サーバ側通信装置５２」、各種情報を表示するための「管理サーバ側ディスプレイ５３」及び各種情報を入力するための「管理サーバ側入力装置５４」等を制御する構成となっている。
【００３１】
また、「管理サーバ制御部５１」は、図２の「第１記憶部６０」、「第２記憶部７０」、「第３記憶部８０」及び「第４記憶部９０」等も制御する構成となっている。
図３は、図２の「第１記憶部６０」の主な構成等を示す概略ブロック図であり、図４は、図２の「第２記憶部７０」の主な構成等を示す概略ブロック図である。
図５は、図２の「第３記憶部８０」の主な構成等を示す概略ブロック図であり、図６は、図２の「第４記憶部９０」の主な構成等を示す概略ブロック図である。これらの具体的な構成等については後述する。
【００３２】
（提携先会社情報登録工程）
図７は、提携先会社情報登録工程を示す概略フローチャートである。これは、提携先会社、例えば、図１のハンバーガーショップＡ等が、自己の情報を「管理サーバ５０」に登録するための工程である。
具体的には、図７のＳＴ１に示すように、提携先会社（例えば、図１の「ハンバーガーショップＡ」等）は、自己の「会社名称（例えば、「ハンバーガーショップＡ等）」、「クーポン内容（例えば、１００円割引等）」、そのクーポンが適用される「店舗（店舗端末番号０１０１等）」、「店舗の位置情報（北緯・・・度、東経・・・度等）」及び自社が保有する「個人会員ＩＤ情報（０１ａｂｃｄ等）」を「管理サーバ５０」の「提携先会社関連情報６１」に登録する。
この「個人会員ＩＤ情報」は、自社の「ハンバーガーショップＡ」の会員である顧客各自に付与している識別番号となっている。また、クーポンが適用される店舗情報を登録するときは、店舗に配置されている「店舗端末装置３０」の「端末番号０１０１等」を登録する。
【００３３】
図８は、図３に示す「提携先会社関連情報記憶部６１」の「提携先会社関連情報６１ａ」を示す概略説明図である。
図８に示すように、提携先会社名称（提携先会社番号）として、例えば、「ハンバーガーショップＡ（０１）」と登録し、クーポン内容／店舗端末番号（位置情報）として、例えば、「１００円割引／０１０１（北緯・・・、東経・・・）」と登録される。
また、自社の個人会員ＩＤとして、例えば、「０１ａｂｃｄ」と登録される。
【００３４】
ＳＴ１で、これらの情報が入力されると提携先会社情報登録工程が終了し、提携先会社からの情報入力が一旦、終了する。
【００３５】
（提携先会社の個人会員の登録等工程）
図９乃至図１１は、「提携先会社の個人会員の登録等工程」を示す概略フローチャートである。
この工程では、「提携先会社の個人会員」等として登録されている、すなわち、図８の「個人会員ＩＤ」を有する会員が自己の情報を登録する工程となる。
具体的には、ＳＴ１１で「提携先会社（ハンバーガーショップＡ等）の個人会員（甲等）が、図１の自己の「携帯用個人会員端末１０」から「管理サーバ５０」にアクセスする。
【００３６】
次いで、ＳＴ１２では、「携帯用個人会員端末１０」の「携帯側入力装置１３」で提携先会社（ハンバーガーショップＡ等）の個人会員ＩＤ（０１ａｂｃｄ等）を入力し、「管理サーバ５０」へ送信する。
【００３７】
次いで、ＳＴ１３へ進む。ＳＴ１３では、入力された「個人会員ＩＤ（０１ａｂｃｄ等）」が，図８の「提携先会社関連情報６１ａ」に含まれているか否かを判断する。具体的には、図３の「個人会員ＩＤ判断処理部（プログラム）６２」が判断する。
【００３８】
ＳＴ１３で、入力された「個人会員ＩＤ（０１ａｂｃｄ等）」が，図８の「提携先会社関連情報６１ａ」に含まれていると判断されたときは、ＳＴ１４へ進む。
ＳＴ１４では、「携帯用個人会員端末１０」の「携帯側ディスプレイ１２」に「新規登録」「情報変更」「退会」を選択するメニュー画面が表示される。
図１２は、ＳＴ１４で表示される画面例を示す概略図である。
ＳＴ１４では、具体的には、図１２で示すように、「新規登録」「情報変更」「退会」を選択するメニュー画面が表示される。
【００３９】
次いで、ＳＴ１５へ進む。ＳＴ１５では、「携帯用個人会員端末１０」の「端末側入力装置１３」を操作して、例えば、「新規登録」を選択する。
【００４０】
すると、ＳＴ１６へ進む。ＳＴ１６では、「携帯用個人会員端末１０」の「携帯側ディスプレイ１２」に、当該会員甲が「個人会員ＩＤ（０１ａｂｃｄ等）」と共に使用する「クレジットカード（Ｖ）２ａ」の識別情報である例えば、「クレジットカード番号（例えば、１２３４）」及び「電子マネーカード（Ｘ）３ａ」の「電子マネーＩＤ番号（９１０１）」等の入力画面が表示される。その後、当該会員甲が、入力処理を行う。
【００４１】
その後、ＳＴ１７へ進む、ＳＴ１７では、「管理サーバ５０」の図３に示す「個人会員ＩＤ関連情報生成処理部（プログラム）６４」が動作し、入力された「クレジットカード番号（１２３４）」及び「電子マネーＩＤ番号（９１０１）」を入力された「個人会員ＩＤ（０１ａｂｃｄ等）」と関連付けて「個人会員ＩＤ関連情報記憶部６５」に記憶する。
図１３は、「個人会員ＩＤ関連情報記憶部６５」の「個人会員ＩＤ関連情報６５ａ」を示す概略図である。
図１３に示すように、「クレジットカード番号（１２３４）」及び「電子マネーＩＤ番号（９１０１）」は、「個人会員ＩＤ（０１ａｂｃｄ等）」と関連付けて登録される。
【００４２】
次いで、ＳＴ１８へ進む。ＳＴ１８では、「携帯側ディスプレイ１２」に「クーポン登録／照会」画面が表示される。
次いで、図１０のＳＴ１９へ進む。ＳＴ１９では、「携帯側入力装置１３」で表示された「クーポン登録」が選択されたか否かが判断され、「クーポン登録」が選択されたときは、ＳＴ２０へ進む。
ＳＴ２０では、「管理サーバ５０」の図３の「利用可能クーポン内容提示処理部（プログラム）６６」が動作して、「提携先会社関連情報記憶部６１」及び「個人会員ＩＤ情報記憶部６２」を参照し、当該個人会員ＩＤ（０１ａｂｃｄ等）で利用可能な「クーポン内容」の一覧を「携帯側ディスプレイ１２」に表示する。
【００４３】
例えば、「ハンバーガーショップＡ」については「１００円割引」「２０％割引」、「ワインバーＢ」については「１０％割引」「２０％割引」、
「イタリアンレストランＣ」については、「１５００円割引」「ランチ１０％割引」「日曜日１５％割引」のデータを表示する。
【００４４】
次いで、個人（甲）が、「携帯側入力装置１３」を操作して、利用可能なクーポンを選択したか否かが「管理サーバ５０」で判断され、利用可能なクーポンのいずれかが選択されたときは、ＳＴ２２へ進む。
ＳＴ２２では、「管理サーバ５０」の図３に示す「紐付けクーポン登録処理部（プログラム）６７」が動作して、選択された「クーポン内容」を図１３の「個人会員ＩＤ関連情報６５ａ」の「紐付けクーポン内容」の欄に登録する。
【００４５】
例えば、「ハンバーガーショップＡ」については「１００円割引」「２０％割引」、「ワインバーＢ」については「１０％割引」「２０％割引」、
「イタリアンレストランＣ」については、「１５００円割引」「ランチ１０％割引」が選択されると、これらが「紐付けクーポン内容」に登録される。
したがって、この「個人会員ＩＤ関連情報６５ａ」で、個人会員ＩＤ（０１１ｂｃｄ等）と、「クレジットカード（Ｖ）２ａ」の「クレジットカード番号（１２３４）」等及び「電子マネーカード（Ｘ）３ａ」の「電子マネーＩＤ番号（９１０１）」とが紐付けられると共に、これらの情報と、選択した「クーポン内容（１００円割引等）」も紐付けられることになる。
【００４６】
次いで、ＳＴ２３へ進む。ＳＴ２３では、個人（甲）が、「携帯側入力装置１３」を操作して、「クーポン照会」を選択したか否かが判断される。すなわち、個人（甲）が、自己が「管理サーバ５０」に登録している「クーポン内容」を確認したいときに選択される。
ＳＴ２３で、「クーポン照会」が選択されたときは、ＳＴ２４へ進む。ＳＴ２４では、「携帯用個人会員端末１０」の「携帯側ディスプレイ１２」にクーポン照会を希望する「個人会員ＩＤ」の入力画面が表示される。
【００４７】
次いで、ＳＴ２５へ進む。ＳＴ２５では、「携帯側入力装置１３」でクーポン照会を希望する「個人会員ＩＤ」が入力される。例えば、個人会員ＩＤ（０１ａｂｃｄ「ハンバーガーショップＡ」）、（０２ａｂｃｄ「ワインバーＢ」）、（０３ａｂｃｄ「イタリアンレストランＣ」）が入力される。
【００４８】
次いで、ＳＴ２６へ進む。ＳＴ２６では、「管理サーバ５０」の図４に示す「クーポン内容表示処理部（プログラム）７１」は入力された「個人会員ＩＤ（０１ａｂｃｄ「ハンバーガーショップＡ」）、（０２ａｂｃｄ「ワインバーＢ」）、（０３ａｂｃｄ「イタリアンレストランＣ」）」に基づき、「個人会員ＩＤ関連情報記憶部６５」を参照し、当該「個人会員ＩＤ（０１ａｂｃｄ等）」と紐付けられている「紐付けクーポン内容」を取得する。
また、「提携先会社関連情報記憶部６１」を参照し、当該「個人会員ＩＤ（０１ａｂｃｄ等）」と紐付け可能で、未だ紐付けされていない「登録可能なクーポン内容」を取得し、「携帯側ディスプレイ１２」に表示する。
【００４９】
図１４は、ＳＴ２６で「携帯側ディスプレイ１２」に表示される「クーポン照会」表示画面例を示す概略説明図である。
図１４に示すように、例えば、「ハンバーガーショップＡ」の「個人会員ＩＤ（０１ａｂｃｄ）」の「登録済みクーポン内容」が「１００円割引」と「２０％割引」で「登録可能なクーポン内容はなしであるが、「イタリアンレストランＣ」の「個人会員ＩＤ（０３ａｂｃｄ）の「登録済みクーポン内容」は「１５００円割引」と「ランチ１０％割引」で、「登録可能なクーポン内容」が「日曜日１５％割引」である等が表示される。
したがって、利用者は、自己が登録している「クーポン内容」とこれから登録可能な「クーポン内容」を明確に把握することができる。
【００５０】
次いで、ＳＴ２７へ進む。ＳＴ２７では、利用者が、「携帯側入力装置１３」を操作して、図１４で示す登録可能な「クーポン内容」の登録希望信号を入力したか否かを「管理サーバ５０」が判断する。
次いで、ＳＴ２８へ進む。ＳＴ２８では、選択された登録可能な「クーポン内容」を図１３の「個人会員ＩＤ関連情報６５ａ」の「紐付けクーポン内容」の欄に登録する。
以上で、個人会員である甲による「管理サーバ５０」に対する情報入力等が終了する。
【００５１】
（本クーポン管理システムの利用例）
図１５乃至図１７は、本クーポン管理システム１の利用例を示す概略フローチャートである。
この工程では、既に自己の「個人会員ＩＤ」等を「管理サーバ５０」に登録している個人（甲）が、実際に「ハンバーガーショップＡ」等を利用する工程を説明する。
先ず、個人（甲）は、図１の「ハンバーガーショップＡ」を訪れ、「ハンバーガー」を「８００円」で購入する。その代金の支払いで、自己の「電子マネーカード（Ｘ）３ａ」を店員に示す。
その後、ＳＴ３１へ進む。ＳＴ３１では、店員が「店舗端末装置３０」の「カード情報取得装置３１」に「電子マネーカード（Ｘ）３ａ（番号９１０１）」のデータ及び代金８００円のデータを入力する。
【００５２】
次いで、ＳＴ３２へ進む。ＳＴ３２では、「店舗端末装置３０」は、取得した「電子マネーカード（Ｘ）３ａ（番号９１０１）」のデータ及び代金８００円のデータを当該「店舗端末装置３０」の「端末番号０１０１」と共にインターネット６を介して「管理サーバ５０」へ送信する。
【００５３】
次いで、ＳＴ３３へ進む。ＳＴ３３では、「管理装置５０」は、受信した「電子マネーカード（Ｘ）３ａ（番号９１０１）」のデータ及び代金８００円のデータを「端末番号０１０１」と共に図４の「受信情報記憶部７２」に記憶させる。
この「受信情報記憶部７２」において、「電子マネーカード（Ｘ）３ａ（番号９１０１）」、代金８００円のデータ及び「端末番号０１０１」は相互に関連付けて記憶される。
【００５４】
次いで、ＳＴ３４へ進む。ＳＴ３４では、「管理サーバ５０」の「利用店等情報生成部（プログラム）７３」が動作し、「受信情報記憶部７２」と「提携先会社関連情報６１」を参照し、「受信情報記憶部７２」の「端末番号０１０１」が既登録であるか否かを判断する。
すなわち、本店舗が「提携先会社」の店舗であるか否かを判断する。
【００５５】
ＳＴ３５で、当該「端末番号０１０１」が既登録であるときは、ＳＴ３６へ進む。ＳＴ３６では、「利用店等情報生成部（プログラム）７３」が動作し、当該「端末番号０１０１」の「提携先会社（番号）」を特定して、当該提携先会社情報（番号）、「ハンバーガーショップＡ（０１）」を図４の「利用店等情報記憶部７４」に記憶させる。
【００５６】
次いで、ＳＴ３７へ進む。ＳＴ３７では、「管理サーバ５０」の「当該適用クーポン内容情報生成部（プログラム）７５」が動作し、「利用店等情報記憶部７４」と「個人会員ＩＤ関連情報６５ａ」を参照し、「利用店等情報記憶部７４」と「電子マネーカード（Ｘ）３ａ（番号９１０１）」に基づき、「個人会員ＩＤ（ハンバーガーショップＡの個人会員ＩＤ（０１ａｂｃｄ）」を特定し、紐付けられているクーポン内容（例えば、「１００円割引」
「２０％割引」のデータを取得し、「当該適用クーポン内容情報記憶部８１」に記憶する。
したがって、これにより、当該個人会員ＩＤ（０１ａｂｃｄ）と予め個人（甲）によって紐付けられているクーポン内容（「１００円割引」
「２０％割引」）と特定することができる。
【００５７】
次いで、ＳＴ３８へ進む。ＳＴ３８では、「管理サーバ５０」は、「ハンバーガーショップＡ」の「店舗端末装置３０」に「当該適用クーポン内容情報記憶部８１」のデータ、「１００円
割引」及び「２０％割引」を送信し、「店舗端末装置３０」は「店舗端末側ディスプレイ１２」にこれらデータを表示させる。
【００５８】
次いで、「ハンバーガーショップＡ」の店員等は、「店舗端末側ディスプレイ１２」に表示された「１００円
割引」及び「２０％割引」を視認し、顧客である個人（甲）に、いずれを選択するか尋ね、その回答に従い、「店舗端末側情報入力装置３３」を操作して、例えば、「２０％割引」を選択する。
そこで、図１６のＳＴ３９へ進む。ＳＴ３９では、「クーポン内容」が選択されたか否かを判断し、上述のように、「２０％割引」が選択されると、ＳＴ４０へ進む。
【００５９】
ＳＴ４０では、「店舗端末装置３０」が、選択されたクーポン内容である「被選択クーポン内容（２０％割引）」データを「管理サーバ５０」へ送信し、「管理サーバ５０」は「被選択クーポン内容（２０％割引）」データを「受信情報記憶部８２」に記憶する。
【００６０】
次いで、ＳＴ４１では、図５の「クーポン内容処理部（プログラム）８３」が動作し、「受信情報記憶部７２」の「代金８００円」に「２０％割引」処理をした「適用後情報」である例えば、請求額情報（６４０円）を「請求額情報記憶部８４」に記憶すると共に「受信情報記憶部８２」の「電子マネーカード（Ｘ）３ａ（番号０１０１）」データから「電子マネーカード会社（Ｘ）」を特定して、「請求額情報」と関連付けて「請求額記憶部８４」に記憶させる。
【００６１】
次いで、ＳＴ４２へ進む。ＳＴ４２では、「管理サーバ５０」は、「請求額情報記憶部８４」の請求額情報（６４０円）を、関連付けられている「提携際会社（「電子マネーカード会社（Ｘ））」のサーバである「電子マネー会社サーバ５」へ送信する。
【００６２】
次いで、ＳＴ４３へ進む。ＳＴ４３では、上述の「電子マネー会社サーバ５」から「承認」情報を取得したか否かを判断し、「承認」情報を取得した場合は、ＳＴ４４へ進む。
【００６３】
ＳＴ４４では、「管理サーバ５０」から「取引伝票情報」（「支払手段（電子マネーカード（Ｘ））」「利用金額（８００円）」「割引金額（１６０円）」「割引後金額（６４０円）」「利用クーポン（ハンバーガーショップＡの２０％割引）」を「店舗端末装置３０」へ送信する。
【００６４】
このように本実施の形態では、個人（甲）は、クーポンを利用する際に、会員カードやクーポン券等を持参することなく、「クレジットカード（Ｖ）２ａ」又は「電子マネーカード（Ｘ）３ａ」を持参するだけで、クーポンの利用をすることができ、利用者である個人（甲）にとって、極めて使い易いシステムとなっている。
【００６５】
次いで、ＳＴ４５へ進む。ＳＴ４５では、「管理サーバ５０」は、「受信情報記憶部８２」の「被選択クーポン内容（２０％割引）」を、その利用時間、個人会員ＩＤ（０１ａｂｃｄ）と共に「提携先会社（ハンバーガー
ショップＡ）」の「ハンバーガーショップＡ管理端末３６」に送信する。
したがって、「受信情報記憶部８２」内の「被選択クーポン内容（２０％割引）」等が「優待情報の使用履歴情報」の一例となっている。
このような工程を経ることにより、提携先会社の「ハンバーガーショップＡ」は、自社が発行したクーポンの利用状況の情報を正確に取得することができ、その後の営業展開等の参考とすることができる。
【００６６】
次いで、ＳＴ４６へ進む。ＳＴ４６では、「ハンバーガーショップＡ」の「プリンタ３５」で「取引伝票情報」を出力し、店員等は、この「取引伝票情報」を顧客である個人（甲）に渡すことで、この個人（甲）は、自己の取引の明細を詳細に知ることができる。
【００６７】
（付近のクーポン利用可能店舗検索工程）
図１８乃至図１９は、「付近のクーポン利用可能店舗検索工程」を示す概略フローチャートである。
本工程では、利用者である個人（甲）が有するクーポンの店舗等が現在位置の付近に存在するか否かを検索するサービスを提供するものである。
初めに、ＳＴ５１で、「携帯用個人会員端末１０」から「管理サーバ５０」の「付近クーポン利用可能店舗サービス」へアクセスする。
【００６８】
次いで、ＳＴ５２へ進む。ＳＴ５２では、会員登録している「提携先会社」の「個人会員ＩＤ（例えば、「ハンバーガーショップＡ」の番号（０１ａｂｃｄ）、「ワインバーＢ」の番号（０２ａｂｃｄ）、「イタリアンレストランＣ」番号（０３ａｂｃｄ）」）を「携帯用個人会員端末１０」から「管理サーバ５０」へ送信する。
【００６９】
次いで、ＳＴ５３へ進む。ＳＴ５３では、「管理装置５０」の図５に示す「問い合わせ情報判断処理部（プログラム）８５」が動作し、「個人会員ＩＤ関連情報記憶部６５」を参照して、当該「個人会員ＩＤ」が登録されているか否かを判断し、登録されているときは、当該「個人会員ＩＤ」を図５に示す「問い合わせ情報記憶部８６」に記憶させる（ＳＴ５４）。
【００７０】
次いで、ＳＴ５５へ進む。ＳＴ５５では、「管理サーバ５０」が、「携帯用個人会員端末１０」に「現在位置情報」を要求する。
【００７１】
次いで、ＳＴ５６へ進む。ＳＴ５６では、「携帯用個人会員端末１０」の「ＧＰＳ(Ｇｌｏｂａｌ  Ｐｏｓｉｔｉｏｎｉｎｇ  Ｓｙｓｔｅｍ)装置１４」で、現在位置を測位し、「第２の位置情報」である例えば、現在位置情報を「管理サーバ５０」へ送信する。
【００７２】
次いで、ＳＴ５７へ進む。ＳＴ５７では、「管理サーバ５０」は、受信した「携帯用個人会員端末１０」の現在位置情報を図５の「問い合わせ情報記憶部８６」に、当該「個人会員ＩＤ」と関連付けて記憶させる。
この工程で、「管理サーバ５０」は、問い合わせがあった「個人会員ＩＤ」と、その現在位置情報を取得することができる。
【００７３】
次いで、図１９のＳＴ５８へ進む。ＳＴ５８では、「管理サーバ５０」の図６に示す「検索範囲内店舗情報生成部（プログラム）９１」が動作し、「個人会員ＩＤ関連情報記憶部６５」を参照し、「問い合わせ情報記憶部８６」の「個人会員ＩＤ」から特定した「クーポン内容」が関連付けられている「提携先会社（「ハンバーガーショップＡ」「ワインバーＢ」「イタリアンレストランＣ」）の店舗の位置情報（「第１の位置情報」の一例）を「提携先会社関連情報記憶部６１」から取得する。
【００７４】
次いで、ＳＴ５９へ進む。ＳＴ５９では、「検索範囲内店舗情報生成部（プログラム）９１」が動作し、「問い合わせ情報記憶部８６」の「現在位置情報」の検索範囲（例えば、半径１ｋｍ）内に、当該店舗の位置情報が存在するか否かを判断する。
【００７５】
ＳＴ５９で、当該店舗の位置情報が存在すると判断されたときは、ＳＴ６０へ進む。ＳＴ６０では、「検索範囲内の店舗情報」を、その位置情報と共に「検索範囲内店舗情報記憶部９２」に記憶させる。
次いで、ＳＴ６１へ進む。ＳＴ６１では、「管理サーバ５０」が、「携帯用個人会員端末１０」に「検索範囲内店舗情報記憶部９２」の「店舗情報」をその「位置情報」と共に送信する。
【００７６】
次いで、ＳＴ６２へ進む。ＳＴ６２では、「携帯用個人会員端末１０」が受信した「店舗情報」及び「位置情報」を文字及び／又は地図で「携帯側ディスプレイ１２」に表示させる。
この情報を視認した個人（甲）は、自己の近くにクーポンを利用できる店舗を知ることができ、クーポンの利用を促すことができる。
【００７７】
本発明は、上述の各実施の形態に限定されない。本実施の形態では、「電子マネーカード（Ｘ）３ａ」を例に説明したが、「クレジットカード（Ｖ）２ａ」の場合も同様の構成とすることができる。また、本実施の形態では、図１の「ハンバーガーショップＡ」の例で説明したが、「ワインバーＢ」や「イタリアンレストランＣ」の例も同様に説明することができる。
【符号の説明】
【００７８】
１・・・クーポン管理システム、２ａ・・・クレジットカード（Ｖ）、３ａ・・・電子マネーカード（Ｘ）、４・・・クレジットカード会社サーバ、５・・・電子マネー会社サーバ、６・・・インターネット、１０・・・携帯用個人会員端末、１１・・・携帯側通信装置、１２・・・携帯側ディスプレイ、１３・・・携帯側入力装置、１４・・・ＧＰＳ装置、３０、３００、４００・・・店舗端末装置、３１・・・カード情報取得装置、３２・・・店舗端末側ディスプレイ、３３・・・店舗端末側情報入力装置、３４・・・店舗端末側通信装置、３５、３０５、４０５・・・プリンタ、３６・・・ハンバーガ−ショップＡ管理用端末、５０・・・管理サーバ、５１・・・管理サーバ制御部、５２・・・管理サーバ側通信装置、５３・・・管理サーバ側ディスプレイ、５４・・・管理サーバ側入力装置、６０・・・第１記憶部、６１・・・提携先会社関連情報、６２・・・個人会員ＩＤ判断処理部（プログラム）、６４・・・個人会員ＩＤ関連情報生成処理部（プログラム）、６５・・・個人会員ＩＤ関連情報記憶部、６６・・・利用可能クーポン内容提示処理部（プログラム）、６７・・・紐付けクーポン登録処理部（プログラム）、７０・・・第２記憶部、７１・・・クーポン内容表示処理部（プログラム）、７２・・・受信情報記憶部、７３・・・利用店等情報生成部（プログラム）、７４・・・利用店等情報記憶部、７５・・・
当該適用クーポン内容情報生成部（プログラム）、８０・・・第３記憶部、８１・・・当該適用クーポン内容情報記憶部、８２・・・受信情報記憶部、８３・・・クーポン内容処理部（プログラム）、８４・・・請求額情報記憶部、８５・・・問い合わせ情報判断処理部（プログラム）、８６・・・問い合わせ情報記憶部、９０・・・第４記憶部、９１・・・検索範囲内店舗情報生成部（プログラム）、９２・・・検索範囲内店舗情報記憶部、３０６・・・ワインバーＢ管理用端末、４０６・・・イタリアンレストランＣ管理用端末、
【図１】
2014149623.tif 000003
【図２】
2014149623.tif 000004
【図３】
2014149623.tif 000005
【図４】
2014149623.tif 000006
【図５】
2014149623.tif 000007
【図６】
2014149623.tif 000008
【図７】
2014149623.tif 000009
【図８】
2014149623.tif 000010
【図９】
2014149623.tif 000011
【図１０】
2014149623.tif 000012
【図１１】
2014149623.tif 000013
【図１２】
2014149623.tif 000014
【図１３】
2014149623.tif 000015
【図１４】
2014149623.tif 000016
【図１５】
2014149623.tif 000017
【図１６】
2014149623.tif 000018
【図１７】
2014149623.tif 000019
【図１８】
2014149623.tif 000020
【図１９】
2014149623.tif 000021